(57)【要約】  アップリンクノードおよびダウンリンクノード間に中継を提供する装置および方法。中継は、共通チャネル上でアップリンクノードおよびダウンリンクノードと同時に通信することによって提供される。スループットを向上させ、利用可能な帯域幅を効率的に利用するために、中継ポイントは、アクセスポイントおよび端末と同時に通信するように構成されていてもよい。同時に通信するために、アップリンクおよびダウンリンクの両方で直交性を維持する方法で、無線リソースを中継ポイントに割り振らなければならない。問題は、中継ポイントがタイムスロットにおけるダウンリンク送信要求中で無線リソースをアクセス端末に割り振るが、アクセスポイントがソースタイムスロットにおいて、オーバーラップする無線リソースをそれに確実に割り振らないようにする方法を、中継ポイントが持たないことである。
2010535462.tif 000002
【特許請求の範囲】
【請求項１】
ワイヤレス通信の方法において、
ワイヤレスアップリンクノードおよびワイヤレスダウンリンクノード間に中継を提供することと、
共通チャネル上で前記アップリンクノードおよびダウンリンクノードと同時に通信することとを含む方法。
【請求項２】
前記アップリンクノードおよびダウンリンクノードとの通信は、前記共通チャネル上で前記アップリンクノードおよびダウンリンクノードから同時に受信することを含む請求項１記載の方法。
【請求項３】
前記アップリンクノードおよびダウンリンクノードとの通信は、前記共通チャネル上で前記アップリンクノードおよびダウンリンクノードに同時に送信することを含む請求項１記載の方法。
【請求項４】
送信するために前記共通チャネルから、無線リソースの第１の割振りを特定する要求を前記アップリンクノードに送ることと、送信するために前記共通チャネルから、無線リソースの第２の割振りを特定する要求を前記ダウンリンクノードに送ることとをさらに含み、前記リソースの第２の割振りは、前記無線リソースの第１の割振りとは異なっている請求項３記載の方法。
【請求項５】
前記無線リソースの第１の割振りを使用して送信するための許可を、前記アップリンクノードから受信することをさらに含む請求項４記載の方法。
【請求項６】
前記リソースの第１の割振りのうちの一部だけを使用して送信するための許可を、前記アップリンクノードから受信することをさらに含む請求項４記載の方法。
【請求項７】
前記無線リソースの第１および第２の割振りのそれぞれは、前記共通チャネルからの周波数割当てを含む請求項４記載の方法。
【請求項８】
前記無線リソースの第１および第２の割振りのそれぞれは、前記共通チャネルからの拡散コード割当てを含む請求項４記載の方法。
【請求項９】
ワイヤレス通信のための装置において、
ワイヤレスアップリンクノードおよびワイヤレスダウンリンクノード間に中継を提供するように構成されている媒体アクセス制御装置を具備し、
前記媒体アクセス制御装置は、共通チャネル上で前記アップリンクノードおよびダウンリンクノードと同時に通信するようにさらに構成されている装置。
【請求項１０】
前記媒体アクセス制御装置は、前記共通チャネル上で前記アップリンクノードおよびダウンリンクノードから同時に受信することによって、前記アップリンクノードおよびダウンリンクノードと通信するように構成されている請求項９記載の装置。
【請求項１１】
前記媒体アクセス制御装置は、前記共通チャネル上で前記アップリンクノードおよびダウンリンクノードに同時に送信することによって、前記アップリンクノードおよびダウンリンクノードと通信するように構成されている請求項９記載の装置。
【請求項１２】
前記媒体アクセス制御装置は、送信するために前記共通チャネルから、無線リソースの第１の割振りを特定する要求を前記アップリンクノードに送り、送信するために前記共通チャネルから、無線リソースの第２の割振りを特定する要求を前記ダウンリンクノードに送るようにさらに構成されており、前記リソースの第２の割振りは、前記無線リソースの第１の割振りとは異なっている請求項１１記載の装置。
【請求項１３】
前記媒体アクセス制御装置は、前記無線リソースの第１の割振りを使用して送信するための許可を、前記アップリンクノードから受信するようにさらに構成されている請求項１２記載の装置。
【請求項１４】
前記媒体アクセス制御装置は、前記リソースの第１の割振りのうちの一部だけを使用して送信するための許可を、前記アップリンクノードから受信するようにさらに構成されている請求項１２記載の装置。
【請求項１５】
前記無線リソースの第１および第２の割振りのそれぞれは、前記共通チャネルからの周波数割当てを含む請求項１２記載の装置。
【請求項１６】
前記無線リソースの第１および第２の割振りのそれぞれは、前記共通チャネルからの拡散コード割当てを含む請求項１２記載の装置。
【請求項１７】
ワイヤレス通信のための装置において、
ワイヤレスアップリンクノードおよびワイヤレスダウンリンクノード間に中継を提供する手段と、
共通チャネル上で前記アップリンクノードおよびダウンリンクノードと同時に通信する手段とを具備する装置。
【請求項１８】
前記アップリンクノードおよびダウンリンクノードと同時に通信する手段は、前記共通チャネル上で前記アップリンクノードおよびダウンリンクノードから同時に受信する手段を備える請求項１７記載の装置。
【請求項１９】
前記アップリンクノードおよびダウンリンクノードと同時に通信する手段は、前記共通チャネル上で前記アップリンクノードおよびダウンリンクノードに同時に送信する手段を備える請求項１７記載の装置。
【請求項２０】
送信するために前記共通チャネルから、無線リソースの第１の割振りを特定する要求を前記アップリンクノードに送る手段と、前記共通チャネルから、無線リソースの第２の割振りを特定する要求を前記ダウンリンクノードに送る手段とをさらに具備し、前記リソースの第２の割振りは、前記無線リソースの第１の割振りとは異なっている請求項１９記載の装置。
【請求項２１】
前記無線リソースの第１の割振りを使用して送信するための許可を、前記アップリンクノードから受信する手段をさらに具備する請求項２０記載の装置。
【請求項２２】
前記リソースの第１の割振りのうちの一部だけを使用して送信するための許可を、前記アップリンクノードから受信する手段をさらに具備する請求項２０記載の装置。
【請求項２３】
前記無線リソースの第１および第２の割振りのそれぞれは、前記共通チャネルからの周波数割当てを含む請求項２０記載の装置。
【請求項２４】
前記無線リソースの第１および第２の割振りのそれぞれは、前記共通チャネルからの拡散コード割当てを含む請求項２０記載の装置。
【請求項２５】
ワイヤレス通信のためのコンピュータプログラムプロダクトにおいて、
ワイヤレスアップリンクノードおよびワイヤレスダウンリンクノード間に中継を提供するためと、
共通チャネル上で前記アップリンクノードおよびダウンリンクノードと同時に通信するために、ワイヤレスノードにおける処理システムによって実行可能な命令を含む機械読み取り可能媒体を具備するコンピュータプログラムプロダクト。
【請求項２６】
ワイヤレス通信のためのアクセスポイントにおいて、
ネットワークへのワイヤードバックホール接続をサポートするように構成されているネットワークアダプターと、
前記ネットワークアダプターを通して、ワイヤレスアップリンクノードおよびワイヤレスダウンリンクノード間に中継を提供するように構成されている媒体アクセス制御装置とを具備し、
前記媒体アクセス制御装置は、共通チャネル上で前記アップリンクノードおよびダウンリンクノードと同時に通信するようにさらに構成されているアクセスポイント。
【請求項２７】
ワイヤレス通信のための中継ポイントにおいて、
ワイヤレスネットワークアダプターと、
前記ワイヤレスネットワークアダプターを通して、ワイヤレスアップリンクノードおよびワイヤレスダウンリンクノード間に中継を提供するように構成されている媒体アクセス制御装置とを具備し、
前記媒体アクセス制御装置は、共通チャネル上で前記アップリンクノードおよびダウンリンクノードと同時に通信するようにさらに構成されている中継ポイント。
【請求項２８】
ワイヤレス通信のためのアクセス端末において、
ワイヤレスネットワークアダプターと、
前記ワイヤレスネットワークアダプターを通して、ワイヤレスアップリンクノードおよびワイヤレスダウンリンクノード間に中継を提供するように構成されている媒体アクセス制御装置と、
前記ワイヤレスネットワークアダプターからのデータに基づいて、指示を表示するように構成されているユーザインターフェースとを具備し、
前記媒体アクセス制御装置は、共通チャネル上で前記アップリンクノードおよびダウンリンクノードと同時に通信するようにさらに構成されているアクセス端末。
【発明の詳細な説明】
【分野】
【０００１】
本開示は一般に、ワイヤレス通信に関し、より詳細には、排他的ではないが、ワイヤレスネットワークにおいて複数のホップに対して直交的にスケジュールするさまざまな技術に関する。
【背景】
【０００２】
ワイヤレスネットワークは、電話通信、データ、ビデオ、オーディオ、メッセージング、ブロードキャストなどのような、さまざまなサービスを消費者に提供するために広く展開されている。ワイヤレスネットワークにより、地方の、全国的な、または、さらには地球規模の領域にわたってブロードバンド通信が可能になる。そのようなネットワークは、ワイヤレスワイドエリアネットワーク（ＷＷＡＮ）と呼ばれることがある。ＷＷＡＮの１つの共通の例は、ＣＤＭＡ２０００をサポートするセルラネットワークであり、ＣＤＭＡ２０００は、コード分割多元接続（ＣＤＭＡ）を使用して、移動体加入者間で音声、データおよびシグナリングを送る電気通信標準規格である。ＷＷＡＮの別の例は、発展データ最適化（ＥＶ−ＤＯ）またはウルトラモバイルブロードバンド（ＵＭＢ）のような、移動体加入者にブロードバンドインターネットアクセスを提供するセルラネットワークであり、発展データ最適化（ＥＶ−ＤＯ）およびウルトラモバイルブロードバンド（ＵＭＢ）の両方は、無線インターフェース標準規格のＣＤＭＡ２０００ファミリの一部である。これらのセルラネットワークは一般に、複数のセルラ領域に対してカバレッジを提供し、移動体加入者をサーブするために、定位置設置の基地局が各セルに位置している。
【０００３】
ワイヤレスローカルエリアネットワーク（ＷＬＡＮ）として知られている、より小さいワイヤレスネットワークが、例えば、ＩＥＥＥ８０２．１１委員会によって標準化されている。ＷＬＡＮは、数十メートルから数百メートルにおよぶ地理的カバレッジにより、小さいエリアをカバーするように展開されている。ＷＬＡＮは無免許のスペクトルを使用して、ネットワークへのアクセスを提供し、通常、ネットワークオペレータ自身のプロパティだけをカバーする。一例として、多くのコーヒーショップ、ホテル、交通の中心は、インターネットへのＷＬＡＮアクセスポイントを含んでいる。
【０００４】
現在、アドホックワイヤレスネットワークが、音声、データ、オーディオ、ビデオ、メッセージングおよびマルチメディア（すなわち、コンテンツ）に対して長距離ワイヤレス通信を提供するように展開されている。アドホックワイヤレスネットワークは多数のワイヤレスノードによって形成され、多数のワイヤレスノードは、互いにつながって、バックホールサービスを他のワイヤレスノードに提供する。アドホックワイヤレスネットワークにおいて、コンテンツがその宛先に到達するまで、コンテンツは１つのワイヤレスノードから別のワイヤレスノードにルーティングされる。連続的な接続が、１つ以上の中間ノードを通して宛先に提供され、アドホックネットワークにおける１つ以上のワイヤレスノードが利用不能になるとき、１つ以上の中間ノードは、接続を維持するために動的に再構成されてもよい。
【０００５】
アドホックワイヤレスネットワークは、既存のインフラストラクチャによって現在提供されているワイヤレスカバレッジを拡張するユニークな機会を提供する。一例として、アドホックワイヤレスネットワークを使用して、セルラネットワークまたはＷＬＡＮの地理的範囲を拡張してもよい。アドホックワイヤレスネットワークはまた、ブロードバンドアクセスに対して、ケーブルおよびデジタル加入者回線（ＤＳＬ）の魅力的な代替を提供する。
【０００６】
アドホックワイヤレスネットワークの最近の出現および、ワイヤレス通信を向上させる大きな可能性とともに、これらのネットワークを通してコンテンツの送信をサポートするために、より効率的な方法が必要とされる。
【概要】
【０００７】
開示の１つの観点において、通信の方法は、アップリンクノードおよびダウンリンクノード間に中継を提供することと、共通チャネル上でアップリンクノードおよびダウンリンクノードと同時に通信することとを含む。
【０００８】
本開示の別の観点において、装置は、アップリンクノードおよびダウンリンクノード間に中継を提供するように構成されている媒体アクセス制御装置を含み、媒体アクセス制御装置は、共通チャネル上でアップリンクノードおよびダウンリンクノードと同時に通信するようにさらに構成されている。
【０００９】
本開示のさらなる観点において、装置は、アップリンクノードおよびダウンリンクノード間に中継を提供する手段と、共通チャネル上でアップリンクノードおよびダウンリンクノードと同時に通信する手段とを含む。
【００１０】
本開示のさらなる観点において、ワイヤレス通信のためのコンピュータプログラムプロダクトは、アップリンクノードおよびダウンリンクノード間に中継を提供するためと、共通チャネル上でアップリンクノードおよびダウンリンクノードと同時に通信するために、ワイヤレスノードにおける１つ以上のプロセッサによって実行可能な命令を含む機械読み取り可能媒体を備える。
【００１１】
本開示の別の観点において、アクセスポイントは、ネットワークへのワイヤードバックホール接続をサポートするように構成されているネットワークアダプターと、ネットワークアダプターを通して、ワイヤレスアップリンクノードおよびワイヤレスダウンリンクノード間に中継を提供するように構成されている媒体アクセス制御装置とを含み、媒体アクセス制御装置は、共通チャネル上でアップリンクノードおよびダウンリンクノードと同時に通信するようにさらに構成されている。
【００１２】
本開示のさらに別の観点において、中継ポイントは、ワイヤレスネットワークアダプターと、ワイヤレスネットワークアダプターを通して、ワイヤレスアップリンクノードおよびワイヤレスダウンリンクノード間に中継を提供するように構成されている媒体アクセス制御装置とを含み、媒体アクセス制御装置は、共通チャネル上でアップリンクノードおよびダウンリンクノードと同時に通信するようにさらに構成されている。
【００１３】
本開示のさらに別の観点において、アクセス端末は、ワイヤレスネットワークアダプターと、ワイヤレスネットワークアダプターを通して、ワイヤレスアップリンクノードおよびワイヤレスダウンリンクノード間に中継を提供するように構成されている媒体アクセス制御装置と、ワイヤレスネットワークアダプターへの、およびワイヤレスネットワークアダプターからのコンテンツを制御するように構成されているユーザインターフェースとを含み、媒体アクセス制御装置は、共通チャネル上でアップリンクノードおよびダウンリンクノードと同時に通信するようにさらに構成されている。
【００１４】
本発明の他の観点は、以下の詳細な説明から、当業者に容易に明らかになることが理解され、詳細な説明では、本発明のさまざまな観点を実例として示し、記述している。認識されるように、本発明は、他の、および異なる、設定および構成とすることができ、そのいくつかの詳細は、本開示の範囲から全く逸脱することなく、さまざまな他の点において修正できる。したがって、図面および詳細な説明は、本質的に実例であり、限定的でないと考えるべきである。
【図面の簡単な説明】
【００１５】
【図１】図１は、ワイヤレスネットワークの例を図示する概念図である。
【図２Ａ】図２Ａは、単一のホップ通信における、送信および受信のタイムスロットに関係付けられているコンテンツフローの例を図示する概念図である。
【図２Ｂ】図２Ｂは、単一のホップ通信における、送信および受信のタイムスロットに関係付けられているコンテンツフローの例を図示する概念図である。
【図３Ａ】図３Ａは、単一のホップ通信における、送信ノードおよび受信ノード間のタイミング関係に関係付けられているコールフローの例を図示する概念図である。
【図３Ｂ】図３Ｂは、単一のホップ通信における、送信ノードおよび受信ノード間のタイミング関係に関係付けられているコールフローの例を図示する概念図である。
【図４Ａ】図４Ａは、複数のホップ通信における、送信および受信のタイムスロットに関係付けられているコンテンツフローの例を図示する概念図である。
【図４Ｂ】図４Ｂは、複数のホップ通信における、送信および受信のタイムスロットに関係付けられているコンテンツフローの例を図示する概念図である。
【図５Ａ】図５Ａは、中間ワイヤレスノードを通して複数のホップ通信に従事している２つのワイヤレスノード間のタイミング関係に関係付けられているコールフローの例を図示する概念図である。
【図５Ｂ】図５Ｂは、中間ワイヤレスノードを通して複数のホップ通信に従事している２つのワイヤレスノード間のタイミング関係に関係付けられているコールフローの例を図示する概念図である。
【図６】図６は、ワイヤレスノードの機能の例を図示するブロック図である。
【図７】図７は、媒体アクセス制御装置の機能の例を図示するブロック図である。
【詳細な説明】
【００１６】
添付図面に関連して以下で示す詳細な説明は、本発明のさまざまな構成の説明として向けられており、発明を実施してもよい唯一の構成を表すように向けられていない。詳細な説明は、本発明の完全な理解を提供するために特定の詳細な説明を含む。しかしながら、これらの特定の詳細な説明なしで、本発明を実施できることが当業者に明らかであるだろう。いくつかの例において、本発明の概念を不明瞭にすることを回避するために、ブロック図の形態で、よく知られている構造およびコンポーネントを示す。
【００１７】
図１は、ワイヤレスネットワーク１００の例を図示する概念図である。ワイヤレスネットワーク１００は、ワイヤレスノード１０２およびアクセス端末１０４として一般的に表される、いくつかのワイヤレスノードとともに示されている。ワイヤレスノードは、受信、送信、あるいはその両方を行ってもよい。以下の説明において、受信しているワイヤレスノードに言及するために、用語“受信ノード”を使用してもよく、送信しているワイヤレスノードに言及するために、用語“送信ノード”を使用してもよい。これらの呼称は、ワイヤレスノードが送信および受信の機能の両方を実行できないことを意味するものではない。
【００１８】
ワイヤレスノードは、アクセスポイント、中継ポイント、アクセス端末、またはそれらの任意の組み合わせとして機能してもよい。図１中で示すワイヤレスネットワーク１００の例において、ワイヤレスノード１０２のクラスタは共に機能して、多数のアクセス端末１０４にバックホールサービスを提供する。クラスタは、ワイヤレスノード１０２Ａを含み、ワイヤレスノード１０２Ａは、ネットワーク１００（例えば、セルラネットワークのようなＷＷＡＮ、ＷＬＡＮ、ＩＳＰ、インターネットなど）にバックホール接続を提供することによって、アクセスポイントとして機能する。しかしながら、このワイヤレスノード１０２Ａは、図１中で示していない他のアクセスポイントに対する中継ポイントとして機能してもよく、または、ワイヤレスネットワーク１００の動的な再構成に応答して中継機能を提供してもよい。クラスタはまた、２つのワイヤレスノード１０２Ｂ１および１０２Ｂ２を含み、２つのワイヤレスノード１０２Ｂ１および１０２Ｂ２は、アクセス端末１０４をアクセスポイント１０２Ａに接続する中継ポイントとして機能する。示していないが、これらのワイヤレスノード１０２Ｂ１および１０２Ｂ２は、他のアクセスポイントおよび中継ポイントへの接続を提供してもよい。同じワイヤレスノード１０２Ｂ１および１０２Ｂ２は、ネットワーク１００におけるワイヤレスノードの他のクラスタに対するアクセスポイントとして機能してもよい。
【００１９】
図１では、４つのアクセス端末１０４を示している。この例において、２つのアクセス端末１０４１および１０４２が、中継ポイント１０２Ｂ１によってアクセスポイント１０２Ａに接続され、１つのアクセスポイント１０４３が、中継ポイント１０２Ｂ２によってアクセスポイント１０２Ａに接続され、残りのアクセスポイント１０４４が、アクセスポイント１０２Ａに直接接続される。アクセス端末１０４は、ワイヤレスノード１０２との無線通信をサポートできる任意の移動ユーザデバイスであってもよく、一例として、移動またはセルラ電話機、パーソナルデジタルアシスタント（ＰＤＡ）、ラップトップコンピュータ、デジタルオーディオデバイス（例えば、ＭＰ３プレイヤー）、ゲームコンソール、デジタルカメラ、あるいは、他の音声、データ、オーディオ、ビデオ、メッセージング、またはマルチメディア、のデバイスを含む。いくつかの応用において、アクセス端末１０４はまた、ネットワーク１００中の他のワイヤレスノードに対するアクセスポイントおよび／または中継ポイントとして機能してもよい。
【００２０】
ワイヤレスネットワーク１００をサポートするために使用される、または採用される無線インターフェース仕様は、任意の適切な多元接続技術に基づくことができ、任意の適切な多元接続技術により、移動加入者は、利用可能な無線リソースを共有することが可能になる。そのような多元接続技術の例は、時分割多元接続（ＴＤＭＡ）、周波数分割多元接続（ＦＤＭＡ）、ＣＤＭＡ、広帯域ＣＤＭＡ（Ｗ−ＣＤＭＡ）、直交周波数分割多元接続（ＯＦＤＭＡ）、または、それらのいくつかの組み合わせを含む。
【００２１】
共通チャネル上でＴＤＭＡ無線インターフェースプロトコルを使用して、アップストリームノードおよびダウンストリームノードから送信および受信するワイヤレスネットワーク１００に対する例をこれから示す。“チャネル”は、ワイヤレスノードに割り振られている、無線スペクトル内の周波数帯域を指す。図２Ａおよび図２Ｂは、単一のホップ通信における、送信および受信のタイムスロットに関係付けられているコンテンツフローを示す概念図である。図２Ａを参照すると、コンテンツは、ワイヤレスノードＡからワイヤレスノードＢに送信される。ワイヤレスノードＡおよびＢは、いくつかのタイムスロット中で、送信および受信することが許可されている。一例として、図２Ｂを参照すると、ワイヤレスノードＡは、奇数番号のタイムスロット中で送信してもよく、ワイヤレスノードＢは、偶数番号のタイムスロット中で送信してもよい。逆に言えば、ワイヤレスノードＡは、偶数番号のタイムスロット中で受信してもよく、ワイヤレスノードＢは、奇数番号のタイムスロット中で受信してもよい。
【００２２】
いくつかの構成において、複数のサブチャネルを各タイムスロットにおいて確立してもよい。一例として、ハイブリッドＴＤＭＡ／ＦＤＭＡスキームにおいて、ワイヤレスノードに割り振られる周波数帯域を多数の副帯域に分割し、各タイムスロット内で使用して、複数のワイヤレスノードとの同時の通信をサポートしてもよい。別の例において、ハイブリッドＴＤＭＡ／ＣＤＭＡスキームにおいて、いくつかの拡散コードを使用してもよく、それゆえに、単一のタイムスロット中で同時の通信が可能になり、各通信に対するコンテンツは、異なるコードにより拡散されている。任意の特定の応用に適した、さまざまな多元接続技術を使用して、チャネルの無線リソースを最良に分割する方法を当業者は容易に理解するだろう。
【００２３】
図１に戻ると、各ワイヤレスノードは、複数のダウンリンク接続を有していてもよい。この構成において、複数のダウンリンク接続を有する各ワイヤレスノードは、ダウンストリームワイヤレスノード間の無線リソースの共有（例えば、周波数副帯域の割当て、拡散コードなど）を調整する必要があるかもしれない。一例として、アクセスポイント１０２Ａは、アクセス端末１０４４と、２つの中継ポイントである、１０２Ｂ１と、１０２Ｂ２との間に利用可能な無線リソースを割り振り、中継ポイント１０２Ｂ１は、２つのアクセス端末１０４１と１０４２との間に利用可能な無線リソースを割り振る。この例において、アクセスポイント１０２Ａおよび中継ポイント１０２Ｂ１は、スケジューリングアルゴリズムを用いて、無線リソースを割り振ってもよい。スケジューリングアルゴリズムは、先着順プロセスと同程度に単純であってもよい。代わりに、スケジューリングアルゴリズムを使用して、好適な無線条件を利用してもよい。公平性に基づいて、より単純なベストエフォートアルゴリズムを使用してもよく、それによって、各ダウンリンク接続に対するワイヤレスノードには、等しい帯域幅が与えられるか、または、ダウンリンク接続を有する非常に多数のワイヤレスノードがある場合、帯域幅が公正な方法でワイヤレスノード間で繰り返されるラウンドロビンプロセスが与えられる。当業者は、ワイヤレスネットワークの任意の特定の応用に対して適切なスケジューリングアルゴリズムを容易に決定できるだろう。
【００２４】
図３Ａおよび図３Ｂは、単一のホップ通信における、送信ノードおよび受信ノード間のタイミング関係の例を図示するコールフロー図である。図３Ａを参照すると、送信ノードは、図１中のアクセスポイント１０２Ａであり、受信ノードは、図１中のアクセス端末１０４４である。要求／許可スキームを使用して、アクセスポイント１０２Ａおよびアクセス端末１０４４間の通信を調整してもよい。一例として、アクセスポイント１０２Ａがダウンリンク上でアクセス端末１０４４に送信することを望むとき、アクセスポイント１０２Ａは、その送信タイムスロットのうちの１つ（例えば、タイムスロット１）中で要求を送信する。要求は、アクセスポイント１０２Ａが送信する予定である無線リソースの特定された割振り（例えば、周波数副帯域、拡散コードなど）を含む。
【００２５】
アクセス端末１０４４は、その対応する受信タイムスロット中で要求を受信する。要求に応答して、アクセス端末１０４４は、その送信タイムスロットのうちの１つ（例えば、タイムスロット２）中で、アクセスポイント１０２Ａに許可を送信する。ここで、アクセス端末１０４４は、要求された無線リソースのすべてまたは一部に対して、要求を許可してもよい。一例として、アクセス端末１０４４は要求を許可して、比較的低レベルの干渉を最近示している、要求された周波数副帯域上でのみ送信してもよい。
【００２６】
許可は、アクセスポイント１０２Ａによる、パケットフォーマットに対するチャネル品質およびデータレートの選択のような、追加の情報を含んでいてもよい。チャネル品質情報は、チャネル品質インジケータ（ＣＱＩ）を含んでいてもよい。ＣＱＩは、信号対雑音比（ＳＮＲ）や、信号対干渉雑音比（ＳＩＮＲ）などのような、性能メトリックを使用することによって計算してもよい。
【００２７】
その対応する受信タイムスロット中で許可を受信した後、アクセスポイント１０２Ａは、その送信タイムスロットのうちの１つ（例えば、タイムスロット３）中でアクセス端末１０４４にコンテンツを送信する。したがって、アクセス端末１０４４は、その対応する受信タイムスロット中でコンテンツを受信するだろう。
【００２８】
図３Ｂを参照すると、送信ノードは、図１中のアクセス端末１０４４であり、受信ノードは、図１中のアクセスポイント１０２Ａである。アクセス端末１０４４がアップリンク上でアクセスポイント１０２Ａに送信することを望むとき、アクセス端末１０４４は、その送信タイムスロットのうちの１つ（例えば、タイムスロット２）中で要求を送信する。要求は、バッファのステータス（すなわち、送信すべきコンテンツの量）およびサービス品質（ＱｏＳ）要求を含んでいてもよい。
【００２９】
アクセスポイント１０２Ａは、その対応する受信タイムスロット中で要求を受信する。要求に応答して、アクセスポイント１０２Ａは、その送信タイムスロットのうちの１つ（例えば、タイムスロット３）中でアクセスポイント１０２Ａに許可を送信してもよい。許可は、送信のために使用する、アクセス端末１０４４に対する、無線リソースの特定された割振りを含む。許可はまた、送信のためのパケットフォーマットおよびデータレートのような追加の情報を含んでいてもよい。
【００３０】
その対応する受信タイムスロット中で許可を受信した後、アクセス端末１０４４は、その送信タイムスロットのうちの１つ（例えば、タイムスロット４）中でアクセスポイント１０２Ａにコンテンツを送信する。したがって、アクセスポイント１０２Ａは、その対応する受信タイムスロット中でコンテンツを受信するだろう。
【００３１】
図４Ａおよび図４Ｂは、複数のホップ通信における、送信および受信タイムスロットに関係付けられているコンテンツフローを図示する概念図である。図４Ａを参照すると、コンテンツは、ワイヤレスノードＡから、ワイヤレスノードＢ、次にワイヤレスノードＣに送信される。単一のホップ通信に関して先に説明したように、ワイヤレスノードは、いくつかのタイムスロット中で送信および受信することが許可されている。一例として、図４Ｂを参照すると、ワイヤレスノードＡおよびＣは、奇数番号のタイムスロット中で送信してもよく、ワイヤレスノードＢは、偶数番号のタイムスロット中で送信してもよい。逆に言えば、ワイヤレスノードＡおよびＣは、偶数番号のタイムスロット中で受信してもよく、ワイヤレスノードＢは奇数番号のタイムスロット中で受信してもよい。
【００３２】
図５Ａおよび図５Ｂに関して、これから例を示す。図５Ａおよび図５Ｂは、中間ワイヤレスノードを通して複数のホップ通信に従事している２つのワイヤレスノード間のタイミング関係の例を図示するコールフロー図である。この例において、アクセスポイント１０２Ａは、中継ポイント１０２Ｂ１を通してアクセス端末１０４１と通信する（図１参照）。スループットを向上させ、利用可能な帯域幅を効率的に利用するために、中継ポイント１０２Ｂ１は、アクセスポイント１０２Ａおよびアクセス端末１０４１と同時に通信するように構成されていてもよい。同時に通信するために、アップリンクおよびダウンリンクの両方で直交性を維持する方法で、無線リソースを中継ポイント１０２Ｂ１に割り振らなければならない。問題は、中継ポイント１０２Ｂ１がタイムスロット１におけるダウンリンク送信要求中で無線リソースをアクセス端末１０４１に割り振るが、アクセスポイント１０２Ａがタイムスロット２において、オーバーラップする無線リソースをそれに確実に割り振らないようにする方法を、中継ポイント１０２Ｂ１が持たないことである。ダウンリンク送信で中継ポイント１０２Ｂ１によって使用されていない１組の無線リソースを含むようにアップリンク送信要求を修正することによって、この問題を解決してもよい。
【００３３】
図５Ａを参照すると、中継ポイント１０２Ｂ１が、ダウンリンク上でアクセス端末１０４１に、かつ、アップリンク上でアクセスポイント１０２Ａに同時に送信することを望むとき、中継ポイント１０２Ｂ１は、その送信タイムスロットのうちの１つ（例えば、タイムスロット１）中でそれぞれに要求を送信する。要求は、別々の制御チャネル上で送ってもよい。アクセス端末１０４１への要求は、中継ポイント１０２Ｂ１が送信することを予定する、無線リソースの特定された割振り（例えば、周波数副帯域、拡散コードなど）を含む。アクセスポイント１０２Ａへの要求は、バッファのステータス、ＱｏＳ要求、および中継ポイント１０２Ｂ１が送信することを望む、無線リソースの特定された割振りを含む。無線リソースの特定された割振りは、アクセス端末１０４１へのダウンリンク送信に対して割り振られていない無線リソースから、中継ポイント１０２Ｂ１によって選択される。
【００３４】
いくつかの構成において、中継ポイント１０２Ｂ１によって選択される、無線リソースの特定された割振りは、以前の送信においてアクセスポイント１０２Ａによって識別された、１組の無線リソースからのものである。これらの構成において、アクセスポイント１０２Ａは、無線リソースを複数の組に、各ダウンストリームに対して１組に、分割してもよい。中継機能を提供する各ダウンストリームワイヤレスノードは、その組から無線リソースの割振りを選択して、アクセスポイント１０２Ａへのアップリンク送信要求において特定してもよい。
【００３５】
アクセス端末１０４１は、その対応する受信タイムスロット（例えば、タイムスロット１）中で、中継ポイント１０２Ｂ１からダウンリンク送信要求を受信する。要求に応答して、アクセス端末１０４１は、２つの間の制御チャネル上で、その送信タイムスロットのうちの１つ（例えば、タイムスロット２）中で、中継ポイント１０２Ｂ１に許可を送信してもよい。ここで、アクセス端末１０４１は、要求される無線リソースのすべてまたは一部に対して、要求を許可してもよい。許可はまた、中継ポイント１０２Ｂ１による、パケットフォーマットに対するチャネル品質およびデータレートの選択のような、追加の情報を含んでいてもよい。
【００３６】
アクセスポイント１０２Ａは、その対応する受信タイムスロット（例えば、タイムスロット１）中で、アップリンク送信要求を受信する。要求に応答して、アクセスポイント１０２Ａは、アップリンク送信に対する要求における、無線リソースの特定された割振りのうちの少なくとも一部を指定する。無線リソースの特定された割振りの指定された部分は、さまざまな要素に基づいていてもよい。一例として、中継ポイント１０２Ｂ１は、アクセス端末１０４１に対するＱｏＳ要求および／または中継ポイント１０２Ｂ１に関する現在の負荷に基づいて、アクセス端末１０４１によって特定された無線リソースのすべてまたは一部を指定してもよい。アクセスポイント１０２Ａは、制御チャネル上で、その送信タイムスロットのうちの１つ（例えば、タイムスロット２）中に、中継ポイント１０２Ｂ１によって特定された無線リソースの割振りを確認するか、または特定された無線リソースの指定した部分を識別する許可を、中継ポイント１０２Ｂ１に送信してもよい。許可はまた、送信に対するパケットフォーマットおよびデータレートのような追加情報を含んでいてもよい。
【００３７】
その対応する受信タイムスロット（例えば、タイムスロット２）中で、アクセス端末１０４１およびアクセスポイント１０２Ａの両方から許可を受信した後に、中継ポイント１０２Ｂ１は、その送信タイムスロットのうちの１つ（例えば、タイムスロット３）中で、アクセス端末１０４１およびアクセスポイント１０２Ａにコンテンツを同時に送信する。したがって、アクセス端末１０４１およびアクセスポイント１０２Ａは、それらのそれぞれの対応する受信タイムスロット（例えば、タイムスロット３）中で、コンテンツを受信するだろう。
【００３８】
図５Ｂを参照すると、アクセスポイント１０２Ａがダウンリンク上で中継ポイント１０２Ｂ１に送信することを望むとき、アクセスポイント１０２Ａは、その送信タイムスロットのうちの１つ（例えば、タイムスロット１）中で要求を送信する。要求は、アクセスポイント１０２Ａが送信を予定する、無線リソースの特定された割振りを含む。
【００３９】
アクセス端末１０４１がアップリンク上で中継ポイント１０２Ｂ１に送信することを望むとき、アクセス端末１０４１は、その送信タイムスロットのうちの１つ（例えば、タイムスロット１）中で要求を送信する。要求は、バッファのステータスおよびサービス品質（ＱｏＳ）要求を含む。
【００４０】
中継ポイント１０２Ｂ１は、その対応する受信タイムスロット（例えば、タイムスロット１）中で、両方の要求を受信する。アクセスポイント１０２Ａからのダウンリンク送信要求に応答して、中継ポイント１０２Ｂ１は、その送信タイムスロットのうちの１つ（例えば、タイムスロット２）中で、アクセスポイント１０２Ａに許可を送信してもよい。ここで、中継ポイント１０２Ｂ１は、要求される無線リソースのすべてまたは一部に対して、要求を許可してもよい。許可はまた、アクセスポイント１０２Ａによる、パケットフォーマットに対するチャネル品質およびデータレートの選択のような、追加情報を含んでいてもよい。
【００４１】
アクセス端末１０４１からのアップリンク送信要求に応答して、中継ポイント１０２Ｂ１は、その送信タイムスロットのうちの１つ（例えば、タイムスロット２）中で、アクセス端末１０４１に許可を送信してもよい。許可は、送信のために使用する、アクセス端末１０４１に対する、無線リソースの特定された割振りを含む。アクセス端末１０４１に対する、無線リソースの特定された割振りは、以前のタイムスロット上でアクセスポイント１０２Ａによってアクセス端末１０４１に割り振られたものとは異なっているはずである。許可はまた、送信に対するパケットフォーマットおよびデータレートのような追加情報を含んでいてもよい。
【００４２】
その対応する受信タイムスロット（例えば、タイムスロット２）中で許可を両方が受信した後、アクセスポイント１０２Ａおよびアクセス端末１０４１は、それらのそれぞれの送信タイムスロットのうちの１つ（例えば、タイムスロット３）中で、中継ポイント１０２Ｂ１にコンテンツを同時に送信する。したがって、中継ポイント１０２Ｂ１は、その対応する受信タイムスロット（例えば、タイムスロット３）中で、コンテンツを受信するだろう。
【００４３】
示したさまざまな概念は、２つのワイヤレスノード間の複数のホップ通信をサポートする中継ポイントの文脈において説明しているが、これらの概念は、互いに通信しない２つのワイヤレスノードへの、同時のアップリンクおよびダウンリンク送信をサポートする中継ポイントに拡張してもよいことを当業者は容易に理解するだろう。図１に戻ると、例えば、中継ポイント１０２Ｂ１は、アクセス端末１０４１からアクセスポイント１０２Ａにコンテンツを送信してもよく、その上、アクセスポイント１０２Ａから別のアクセス端末１０４２にコンテンツを同時に送信してもよい。
【００４４】
図６は、ワイヤレスノードの機能の例を図示するブロック図である。以下の記述は、本質的に、情報を与えるためのものであり、各ブロックの機能を広く規定する。本開示全体にわたって記述するさまざまな概念に関係する機能だけを記述する。当業者は、これらの機能ブロックが、ここで記述していない他の機能を提供できることを認識するだろう。この例において、ワイヤレスノード１０２は、２つの機能ブロック：ネットワークアダプター６０２と媒体アクセス制御装置６０４とを含む。
【００４５】
中継ポイントとして機能を果たすワイヤレスノードにおいて、ネットワークアダプター６０２は、アップリンクノードおよびダウンリンクノードの両方へのワイヤレス接続をサポートする。中継ポイント機能がアクセス端末によって提供されるとき、ネットワークアダプター６０２は、ユーザインターフェース６０３によって制御されるコンテンツに対するアップリンクノードへのワイヤレス接続に加えて、アップリンクノードおよびダウンリンクノードの両方へのワイヤレス接続を同様にサポートする。ネットワークアダプター６０２は、アクセスポイントにおいて中継ポイント機能をサポートするためにわずかに異なっていてもよい。中継ポイント機能を提供するために、アップリンクノードおよびダウンリンクノードの両方へのワイヤレス接続を提供することに加えて、アクセスポイント中のネットワークアダプター６０２はまた、ネットワークへのワイヤードバックホール接続をサポートしてもよい。
【００４６】
ネットワークアダプター６０２は、受信機機能および送信機機能の両方を提供する。受信機機能は、ワイヤレス信号を復調することと、信号によって搬送されるコンテンツを取得することとを含む。送信機能は、コンテンツにより搬送波を変調することを含む。ワイヤレスネットワーク６０２は、ＲＦフロントエンド処理、ＡＤＣ、タイミングおよび周波数推定、チャネル推定、ターボコーディングなどのようなさまざまな機能を提供する。要約すると、ワイヤレスネットワークアダプター６０２は、ワイヤレスノード２０２の完全な物理層構成を提供する。
【００４７】
媒体アクセス制御装置６０４は、ワイヤレス媒体へのアクセスを制御するために使用される。媒体アクセス制御装置６０４は、ワイヤレスノード（例えば、アクセスポイント、中継ポイント、アクセス端末）の現在の機能に適応するスケジューリングアルゴリズムを使用する。媒体アクセス制御装置６０４は、先に論じた要求／許可スキームを使用して、他のワイヤレスノード間の通信をスケジュールすることを担当する。
【００４８】
媒体アクセス制御装置６０４は、ワイヤレスノードが同時のアップリンクおよびダウンリンク通信をサポートする能力を有する中継ポイント機能を提供することを可能にするように構成されていてもよい。送信モードにおいて、媒体アクセス制御装置６０４は、アップリンクおよびダウンリンク送信要求を送ることによって、この中継ポイント機能を実現し、各要求は、無線リソースの特定された割振りを有する。媒体アクセス制御装置６０４は次に、それが要求に応答して許可を受信するとき、アップリンクおよびダウンリンク送信をスケジュールする。アップストリームワイヤレスノードからの許可は、アップリンク送信に対する特定された無線リソースのすべてまたは一部のいずれかを識別する。いくつかの構成において、アップリンク送信要求に含まれる、無線リソースの特定された割振りは、アップストリームワイヤレスノードからの以前の送信においてそれに提供された、１組の無線リソースから選択される。
【００４９】
図７は、中継機能を提供するとき、媒体アクセス制御装置の機能の例を図示するブロック図である。媒体アクセス制御装置は、アップリンクノードおよびダウンリンクノード間の中継を提供するモジュール７０２と、共通チャネル上でアップリンクノードおよびダウンリンクノードと同時に通信するモジュール７０４とを含む。
【００５０】
ここで開示した観点に関連して記述したさまざまな実例となる論理ブロック、モジュールおよび回路は、集積回路（“ＩＣ”）、アクセス端末、アクセスポイントまたは中継ポイント内で実現してもよく、または、それらによって実行してもよい。ＩＣは、汎用プロセッサ、デジタル信号プロセッサ（ＤＳＰ）、特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、電気コンポーネント、光コンポーネント、機械式コンポーネント、あるいはここで記述した機能を実行するために設計されたそれらの任意の組み合わせを含んでいてもよく、ＩＣの内部に、ＩＣの外部に、またはその両方に存在するコードまたは命令を実行してもよい。汎用プロセッサは、マイクロプロセッサであってもよいが、代替として、プロセッサは、任意の従来のプロセッサ、制御装置、マイクロ制御装置、または状態遷移機械であってもよい。プロセッサはまた、計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として実現してもよい。
【００５１】
コードまたは命令は、ソフトウェアアプリケーションをサポートするために、１つ以上の機械読み取り可能媒体に組み入れられていてもよい。ソフトウェアは、命令、プログラム、コード、あるいは、ソフトウェア、ファームウェア、ミドルウェア、マイクロコード、ハードウェア記述言語と呼ばれるか、または、そうではない、他の任意の電子媒体コンテンツを意味するように広く解釈すべきである。機械読み取り可能媒体は、ＡＳＩＣであってもよいようなプロセッサと一体化されている記憶装置を含んでいてもよい。機械読み取り可能媒体はまた、プロセッサの外部の記憶装置を含んでいてもよく、それらは、例えば、ランダムアクセスメモリ（ＲＡＭ）、フラッシュメモリ、読み出し専用メモリ（ＲＯＭ）、プログラム可能読み出し専用メモリ（ＰＲＯＭ）、消去可能ＰＲＯＭ（ＥＰＲＯＭ）、レジスタ、ハードディスク、リムーバルディスク、ＣＤ−ＲＯＭ、ＤＶＤまたは他の任意の適切な記憶デバイスを含んでいてもよい。さらに、機械読み取り可能媒体は、データ信号をエンコード化する伝送線路または搬送波を含んでいてもよい。当業者は、処理システムに対して記述した機能を最良に実現する方法を認識するだろう。さらに、いくつかの観点において、任意の適切なコンピュータプログラムプロダクトは、本開示の観点のうちの１つ以上に関するコードを含むコンピュータ読み取り可能媒体または機械読み取り可能媒体を備えていてもよい。いくつかの観点において、コンピュータプログラムプロダクトは、実装材料を含んでいてもよい。
【００５２】
いかなる当業者であってもここで記述したさまざまな観点を実施できるように、記述をこれまでに提供している。これらの観点に対してさまざまな修正が当業者に容易に明らかとなり、ここで規定した一般的な原理を他の観点に適用してもよい。したがって、特許請求の範囲は、ここで示した観点に限定されるように意図されていないが、言語特許請求の範囲に矛盾しない全範囲に一致すべきであり、ここで単一の要素に対する参照は、特にそう述べられていない限り、“１つおよびただ１つ”を意味するように意図されておらず、むしろ“１つまたはそれ以上”を意味するように意図されている。特に述べられていない限り、用語“いくつか”は、１つまたはそれ以上を指す。当業者に知られている、または後に知られるようになる、本開示全体を通して記述したさまざまな観点の要素に対するすべての構造的および機能的な均等物は、明白に、参照によりここに組み込まれ、特許請求の範囲により包含されるように意図されている。さらに、ここで開示したものは、そのような開示が特許請求の範囲中で明示的に記載されているかどうかにかかわらず、公開専用のものであるように意図されていない。要素がフレーズ“手段”を使用して明白に記載されていない限り、または方法の請求項のケースにおいて、要素がフレーズ“ステップ”を使用して記載されていない限り、請求項の要素は、合衆国法典第３５部１１２条第６項のもとで解釈すべきでない。
【図１】
2010535462.tif 000003
【図２Ａ】
2010535462.tif 000004
【図２Ｂ】
2010535462.tif 000005
【図３Ａ】
2010535462.tif 000006
【図３Ｂ】
2010535462.tif 000007
【図４Ａ】
2010535462.tif 000008
【図４Ｂ】
2010535462.tif 000009
【図５Ａ】
2010535462.tif 000010
【図５Ｂ】
2010535462.tif 000011
【図６】
2010535462.tif 000012
【図７】
2010535462.tif 000013
【手続補正書】
【提出日】平成21年2月28日(2009.2.28)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
ワイヤレスアップリンクノードおよびワイヤレスダウンリンクノード間に中継を提供することと、
共通チャネル上で前記アップリンクノードおよびダウンリンクノードと同時に通信することとを含み、前記アップリンクノードおよびダウンリンクノードとの通信は、前記共通チャネル上で前記アップリンクノードおよびダウンリンクノードに同時に送信することを含み、
前記方法はさらに、
送信するために前記共通チャネルから、無線リソースの第１の割振りを特定する要求を前記アップリンクノードに送ることと、
送信するために前記共通チャネルから、無線リソースの第２の割振りを特定する要求を前記ダウンリンクノードに送ることとを含み、前記リソースの第２の割振りは、前記無線リソースの第１の割振りとは異なっている方法。
【請求項２】
前記アップリンクノードおよびダウンリンクノードとの通信は、前記共通チャネル上で前記アップリンクノードおよびダウンリンクノードから同時に受信することを含む請求項１記載の方法。
【請求項３】
前記無線リソースの第１の割振りを使用して送信するための許可を、前記アップリンクノードから受信することをさらに含む請求項１記載の方法。
【請求項４】
前記リソースの第１の割振りのうちの一部だけを使用して送信するための許可を、前記アップリンクノードから受信することをさらに含む請求項１記載の方法。
【請求項５】
前記無線リソースの第１および第２の割振りのそれぞれは、前記共通チャネルからの周波数割当てを含む請求項１記載の方法。
【請求項６】
前記無線リソースの第１および第２の割振りのそれぞれは、前記共通チャネルからの拡散コード割当てを含む請求項１記載の方法。
【請求項７】
ワイヤレス通信のための装置において、
ワイヤレスアップリンクノードおよびワイヤレスダウンリンクノード間に中継を提供するように構成されている媒体アクセス制御装置を具備し、
前記媒体アクセス制御装置は、共通チャネル上で前記アップリンクノードおよびダウンリンクノードと同時に通信するようにさらに構成されており、
前記媒体アクセス制御装置は、前記共通チャネル上で前記アップリンクノードおよびダウンリンクノードに同時に送信することによって、前記アップリンクノードおよびダウンリンクノードと通信するように構成されており、
前記媒体アクセス制御装置は、送信するために前記共通チャネルから、無線リソースの第１の割振りを特定する要求を前記アップリンクノードに送り、送信するために前記共通チャネルから、無線リソースの第２の割振りを特定する要求を前記ダウンリンクノードに送るようにさらに構成されており、前記リソースの第２の割振りは、前記無線リソースの第１の割振りとは異なっている装置。
【請求項８】
前記媒体アクセス制御装置は、前記共通チャネル上で前記アップリンクノードおよびダウンリンクノードから同時に受信することによって、前記アップリンクノードおよびダウンリンクノードと通信するように構成されている請求項７記載の装置。
【請求項９】
前記媒体アクセス制御装置は、前記無線リソースの第１の割振りを使用して送信するための許可を、前記アップリンクノードから受信するようにさらに構成されている請求項７記載の装置。
【請求項１０】
前記媒体アクセス制御装置は、前記リソースの第１の割振りのうちの一部だけを使用して送信するための許可を、前記アップリンクノードから受信するようにさらに構成されている請求項７記載の装置。
【請求項１１】
前記無線リソースの第１および第２の割振りのそれぞれは、前記共通チャネルからの周波数割当てを含む請求項７記載の装置。
【請求項１２】
前記無線リソースの第１および第２の割振りのそれぞれは、前記共通チャネルからの拡散コード割当てを含む請求項７記載の装置。
【請求項１３】
ワイヤレス通信のための装置において、
ワイヤレスアップリンクノードおよびワイヤレスダウンリンクノード間に中継を提供する手段と、
共通チャネル上で前記アップリンクノードおよびダウンリンクノードと同時に通信する手段とを具備し、
前記アップリンクノードおよびダウンリンクノードと同時に通信する手段は、前記共通チャネル上で前記アップリンクノードおよびダウンリンクノードに同時に送信する手段を備え、
前記装置はさらに、
送信するために前記共通チャネルから、無線リソースの第１の割振りを特定する要求を前記アップリンクノードに送る手段と、
前記共通チャネルから、無線リソースの第２の割振りを特定する要求を前記ダウンリンクノードに送る手段とを具備し、前記リソースの第２の割振りは、前記無線リソースの第１の割振りとは異なっている装置。
【請求項１４】
前記アップリンクノードおよびダウンリンクノードと同時に通信する手段は、前記共通チャネル上で前記アップリンクノードおよびダウンリンクノードから同時に受信する手段を備える請求項１３記載の装置。
【請求項１５】
前記無線リソースの第１の割振りを使用して送信するための許可を、前記アップリンクノードから受信する手段をさらに具備する請求項１３記載の装置。
【請求項１６】
前記リソースの第１の割振りのうちの一部だけを使用して送信するための許可を、前記アップリンクノードから受信する手段をさらに具備する請求項１３記載の装置。
【請求項１７】
前記無線リソースの第１および第２の割振りのそれぞれは、前記共通チャネルからの周波数割当てを含む請求項１４記載の装置。
【請求項１８】
前記無線リソースの第１および第２の割振りのそれぞれは、前記共通チャネルからの拡散コード割当てを含む請求項１４記載の装置。
【請求項１９】
ワイヤレス通信のためのコンピュータプログラムプロダクトにおいて、
請求項１ないし６のいずれか１項記載の方法を実行するために、ワイヤレスノードにおける処理システムによって実行可能な命令を含む機械読み取り可能媒体を具備するコンピュータプログラムプロダクト。
【請求項２０】
ワイヤレス通信のためのアクセスポイントにおいて、
ネットワークへのワイヤードバックホール接続をサポートするように構成されているネットワークアダプターと、
前記ネットワークアダプターを通して、ワイヤレスアップリンクノードおよびワイヤレスダウンリンクノード間に中継を提供するように構成されている媒体アクセス制御装置とを具備し、
前記媒体アクセス制御装置は、共通チャネル上で前記アップリンクノードおよびダウンリンクノードと同時に通信するようにさらに構成されており、
前記媒体アクセス制御装置は、前記共通チャネル上で前記アップリンクノードおよびダウンリンクノードに同時に送信することによって、前記アップリンクノードおよびダウンリンクノードと通信するように構成されており、
前記媒体アクセス制御装置は、送信するために前記共通チャネルから、無線リソースの第１の割振りを特定する要求を前記アップリンクノードに送り、送信するために前記共通チャネルから、無線リソースの第２の割振りを特定する要求を前記ダウンリンクノードに送るようにさらに構成されており、前記リソースの第２の割振りは、前記無線リソースの第１の割振りとは異なっているアクセスポイント。
【請求項２１】
ワイヤレス通信のための中継ポイントにおいて、
ワイヤレスネットワークアダプターと、
前記ワイヤレスネットワークアダプターを通して、ワイヤレスアップリンクノードおよびワイヤレスダウンリンクノード間に中継を提供するように構成されている媒体アクセス制御装置とを具備し、
前記媒体アクセス制御装置は、共通チャネル上で前記アップリンクノードおよびダウンリンクノードと同時に通信するようにさらに構成されており、
前記媒体アクセス制御装置は、前記共通チャネル上で前記アップリンクノードおよびダウンリンクノードに同時に送信することによって、前記アップリンクノードおよびダウンリンクノードと通信するように構成されており、
前記媒体アクセス制御装置は、送信するために前記共通チャネルから、無線リソースの第１の割振りを特定する要求を前記アップリンクノードに送り、送信するために前記共通チャネルから、無線リソースの第２の割振りを特定する要求を前記ダウンリンクノードに送るようにさらに構成されており、前記リソースの第２の割振りは、前記無線リソースの第１の割振りとは異なっている中継ポイント。
【請求項２２】
ワイヤレス通信のためのアクセス端末において、
ワイヤレスネットワークアダプターと、
前記ワイヤレスネットワークアダプターを通して、ワイヤレスアップリンクノードおよびワイヤレスダウンリンクノード間に中継を提供するように構成されている媒体アクセス制御装置と、
前記ワイヤレスネットワークアダプターからのデータに基づいて、指示を表示するように構成されているユーザインターフェースとを具備し、
前記媒体アクセス制御装置は、共通チャネル上で前記アップリンクノードおよびダウンリンクノードと同時に通信するようにさらに構成されており、
前記媒体アクセス制御装置は、前記共通チャネル上で前記アップリンクノードおよびダウンリンクノードに同時に送信することによって、前記アップリンクノードおよびダウンリンクノードと通信するように構成されており、
前記媒体アクセス制御装置は、送信するために前記共通チャネルから、無線リソースの第１の割振りを特定する要求を前記アップリンクノードに送り、送信するために前記共通チャネルから、無線リソースの第２の割振りを特定する要求を前記ダウンリンクノードに送るようにさらに構成されており、前記リソースの第２の割振りは、前記無線リソースの第１の割振りとは異なっているアクセス端末。
【手続補正２】
【補正対象書類名】図面
【補正対象項目名】図５Ａ
【補正方法】変更
【補正の内容】
【図５Ａ】
2010535462.tif 000014
【手続補正３】
【補正対象書類名】図面
【補正対象項目名】図５Ｂ
【補正方法】変更
【補正の内容】
【図５Ｂ】
2010535462.tif 000015
【国際調査報告】
2010535462.tif 000016
2010535462.tif 000017
2010535462.tif 000018